(57)【要約】【課題】ハイヤーレイヤシグナリングによりコンポーネントキャリアのアグリゲーション数が追加／削減される過渡期においても、上りリンクACK/NACK信号の通信を維持すること。【解決手段】システム帯域を構成するCC毎にPDSCHを受信する受信部と、受信した各CCのPDSCHを復調する復調部４０６と、復調部４０６によるPDSCHの復調結果に応じて上りリンクACK/NACK信号を生成するACK/NACK信号生成部４１８と、アンカーブロックの上りリンクACK/NACK信号にはLTEを用いて無線リソースを割り当て、他のCCの上りリンクACK/NACK信号には、ユーザ固有の無線リソースを割り当てるマッピング部４１５とを具備したことを特徴とする。【選択図】図３
2011223335.tif 000002
【特許請求の範囲】
【請求項１】
システム帯域が基本周波数ブロック単位で追加または削除される通信システムと接続して通信するユーザ端末であり、
前記システム帯域を構成する基本周波数ブロック毎にユーザデータ送信用のデータチャネルを受信する受信部と、
前記受信部によって受信した前記各基本周波数ブロックのデータチャネルを復調する復調部と、
前記復調部によるデータチャネルの復調結果に応じて前記基本周波数ブロック毎に上りリンクACK/NACK信号を生成するACK/NACK信号生成部と、
前記システム帯域を構成している基本周波数ブロックの中の一つをアンカーブロックに定め、前記アンカーブロックのデータチャネル復調結果に対して生成された上りリンクACK/NACK信号には、１つの基本周波数ブロック用のリソース割当て方式を用いて無線リソースを割り当て、他の基本周波数ブロックのデータチャネル復調結果に対して生成された上りリンクACK/NACK信号には、複数基本周波数ブロック用のリソース割当て方式を用いて無線リソースを割り当てるマッピング部と、
を具備したことを特徴とするユーザ端末。
【請求項２】
前記マッピング部は、前記１基本周波数ブロック用のリソース割当て方式によって、前記アンカーブロックのデータチャネルに割り当てられていた無線リソースと対応した無線リソースが、前記上りリンクACK/NACK信号に割当てられることを特徴とする請求項１記載のユーザ端末。
【請求項３】
前記マッピング部は、前記複数基本周波数ブロック用のリソース割当て方式によって、ユーザ固有の無線リソースが前記上りリンクACK/NACK信号に割当てられることを特徴とする請求項１記載のユーザ端末。
【請求項４】
前記アンカーブロックは固定のままで、前記他の基本周波数ブロックが追加または削除されることを特徴とする請求項１記載のユーザ端末。
【請求項５】
ユーザ端末との間の通信に用いられるシステム帯域を基本周波数ブロック単位で追加または削除する選択手段と、
前記システム帯域を構成する基本周波数ブロック毎にユーザデータ送信用のデータチャネルを送信する送信部と、
前記各基本周波数ブロックのデータチャネル復調結果を表す上りリンクACK/NACK信号が含まれた上りリンク制御チャネルを受信する受信部と、
前記システム帯域を構成している基本周波数ブロックの中の一つがアンカーブロックに定められ、前記アンカーブロックの上りリンクACK/NACK信号を、１つの基本周波数ブロック用のリソース割当て方式を用いてデマッピングし、他の基本周波数ブロックの上りリンクACK/NACK信号を、複数基本周波数ブロック用のリソース割当て方式を用いてデマッピングするデマッピング部と、
を具備したことを特徴とする基地局装置。
【請求項６】
システム帯域が基本周波数ブロック単位で追加または削除される通信システムにおける上りリンク制御信号の割当て方法であり、
前記システム帯域を構成する基本周波数ブロック毎にユーザデータ送信用のデータチャネルを受信するステップと、
前記受信した前記各基本周波数ブロックのデータチャネルを復調するステップと、
前記データチャネルの復調結果に応じて前記基本周波数ブロック毎に上りリンクACK/NACK信号を生成するステップと、
前記システム帯域を構成している基本周波数ブロックの中の一つをアンカーブロックに定め、前記アンカーブロックのデータチャネル復調結果に対して生成された上りリンクACK/NACK信号には、１つの基本周波数ブロック用のリソース割当て方式を用いて無線リソースを割り当て、他の基本周波数ブロックのデータチャネル復調結果に対して生成された上りリンクACK/NACK信号には、複数基本周波数ブロック用のリソース割当て方式を用いて無線リソースを割り当てるステップと、
を具備したことを特徴とする上りリンク制御信号の割当て方法。
【発明の詳細な説明】
【技術分野】
【０００１】
本発明は、対応可能な帯域（最大帯域）の中から基本周波数ブロック（以下、「コンポーネントキャリア（Component Carrier）」という）単位で選択された１つ又は複数のコンポーネントキャリアを用いて信号を伝送する無線通信システムに関し、特に上りリンクの確認応答（ACK）又は否定応答（NACK）（以下、「ACK/NACK信号」という）を生成するユーザ端末及びユーザ端末から上りリンクのACK/NACK信号を受信する基地局装置に関する。
【背景技術】
【０００２】
Ｗ−ＣＤＭＡ（Wideband  Code  Division  Multiple  Access）やＨＳＤＰＡ(High  Speed  Downlink  Packet  Access)の後継となる通信方式、すなわちロングタームエボリューション（ＬＴＥ：Long  Term  Evolution）が、Ｗ−ＣＤＭＡの標準化団体３ＧＰＰにより定められ、無線アクセス方式として、下りリンクについてはＯＦＤＭＡ（Orthogonal  Frequency  Division  Multiple  Access）、上りリンクについてはＳＣ−ＦＤＭＡ（Single-Carrier  Frequency  Division  Multiple  Access）が採用された。現在、３ＧＰＰではＬＴＥの後継システムが検討されている（ＬＴＥアドバンスト（ＬＴＥ−Ａ又はRelease  10）。
【０００３】
ＬＴＥシステムは、上りリンク、下りリンクともに１つないし２つ以上の物理チャネルを複数の移動局ＵＥで共有して通信を行うシステムである。複数の移動局ＵＥで共有されるチャネルは、一般に共有チャネルと呼ばれ、ＬＴＥでは、下りリンクにおけるPDSCH（Physical  Downlink  Shared  Channel）、上りリンクにおけるPUSCH（Physical  Uplink  Shared  Channel）である。
【０００４】
ＬＴＥシステムでは、基地局eNBから移動局ＵＥへサブフレーム単位で下りリンク制御チャネル（PDCCH: Physical  Downlink  Control  Channel）及びPDSCHを送信する。移動局ＵＥは、PDCCHを復調してPDSCH復調用の制御信号を取得し、取得した制御信号に基づいてPDSCHを復調する。そして、移動局ＵＥは、PDSCHを復号した際のパケット誤りの有無を表すACK/NACK信号を、上りリンク制御チャネル(PUCCH:Physical  Uplink  Control  channel）で基地局eNBへ伝送する。
【先行技術文献】
【非特許文献】
【０００５】
【非特許文献１】３GPP,R-1100361,Panasonic、“Further  discussion  on  PDCCH  with  cross  carrier  operation”
【非特許文献２】3GPP,R2-080762,Ericsson,“Synchronized  RRC  re-configuration”
【発明の概要】
【発明が解決しようとする課題】
【０００６】
ところで、現在３ＧＰＰにおいて検討が進められているＬＴＥ−Ａでは、複数のコンポーネントキャリアを寄せ集めて広帯域化することが合意されている。一部のコンポーネントキャリアは他セルからの干渉が強いが、別のコンポーネントキャリアは干渉の影響が少ないといった通信環境が発生し得る。そこで、通信品質の低いコンポーネントキャリアで送られる共有データチャネル（PDSCH/PUSCH）を復調するための下りリンク制御情報（DCI：Downlink  Control  Information)を、干渉の影響の少ない別のコンポーネントキャリアのPDCCHから伝送する仕組みが検討されている。
【０００７】
しかしながら、下りリンクの複数コンポーネントキャリアでそれぞれ受信した各PDSCHに対する上りリンクのACK/NACK信号を基地局eNBへ伝送する仕組みについて不明であった。
【０００８】
本発明は、かかる点に鑑みてなされたものであり、複数のコンポーネントキャリアのPDSCHに対する上りリンクACK/NACK信号を基地局へ伝送するのに適したリソース制御を実現するユーザ端末及び基地局装置を提供することを目的とする。
【課題を解決するための手段】
【０００９】
本発明の一側面は、システム帯域が基本周波数ブロック単位で追加または削除される通信システムと接続して通信するユーザ端末であり、前記システム帯域を構成する基本周波数ブロック毎にユーザデータ送信用のデータチャネルを受信する受信部と、前記受信部によって受信した前記各基本周波数ブロックのデータチャネルを復調する復調部と、前記復調部によるデータチャネルの復調結果に応じて前記基本周波数ブロック毎に上りリンクACK/NACK信号を生成するACK/NACK信号生成部と、前記システム帯域を構成している基本周波数ブロックの中の一つをアンカーブロックに定め、前記アンカーブロックのデータチャネル復調結果に対して生成された上りリンクACK/NACK信号には、１つの基本周波数ブロック用のリソース割当て方式を用いて無線リソースを割り当て、他の基本周波数ブロックのデータチャネル復調結果に対して生成された上りリンクACK/NACK信号には、複数基本周波数ブロック用のリソース割当て方式を用いて無線リソースを割り当てるマッピング部と、を具備したことを特徴とする。
【発明の効果】
【００１０】
本発明によれば、ハイヤーレイヤシグナリングによりコンポーネントキャリアのアグリゲーション数が追加／削減される過渡期においても、PDSCHに対する上りリンクACK/NACK信号の送信を維持できる。
【図面の簡単な説明】
【００１１】
【図１】上りリンクACK/NACK信号の無線リソースと下りリンクの無線リソースとの対応付けを説明する図である。
【図２】複数のコンポーネントキャリアから１つのコンポーネントキャリアへのマッピングを説明するための図である。
【図３】アンカーキャリアにおける上りリンクACK/NACK信号のリソース割り当てについて説明するための図である。
【図４】実施の形態に係る移動通信システムの全体図である。
【図５】実施の形態に係る基地局装置の概略的な構成図である。
【図６】実施例に係る移動端末装置の概略的な構成図である。
【図７】実施例に係る基地局装置のベースバンド信号処理部における送信処理部の機能ブロック図である。
【図８】実施例に係る基地局装置のベースバンド信号処理部における受信処理部の機能ブロック図である。
【図９】実施例に係る移動端末装置が有するベースバンド信号処理部の機能ブロック図である。
【図１０】コンポーネントキャリアの削除があった場合のシーケンス図である。
【図１１】上りリンクACK/NACK信号のマッピングについて説明するための図である。
【発明を実施するための形態】
【００１２】
LTEにおいて規定されている上りリンクACK/NACK信号の無線リソースについて説明する。LTEでは、上りリンクACK/NACK信号の無線リソースが、下りリンク制御信号（DCI)の無線リソースに対応付けられている。
【００１３】
図１を参照して、上りリンクACK/NACK信号の無線リソースと下りリンクの無線リソースとの対応付けについて説明する。図１には下りリンク及び上りリンクそれぞれについて５サブフレームが示されている。
【００１４】
図１に示されるように、下りリンク物理チャネルは、各サブフレーム（＃０〜＃４）においてPDCCHが先頭の数ＯＦＤＭシンボル（１、２又は３ＯＦＤＭシンボル）の領域に割り当てられ、各サブフレーム（＃０〜＃４）の残りの所定領域にPDSCHが割り当てられている。PDCCHは、信号送信ブロックであるCCE(Control  Channel  Element)単位で無線リソースが割り当てられる。１CCEは９REG（Resource  Element  Group)で構成されており、１REGは４サブキャリアで構成される。個々のCCEは、インデックス（CCE  index）で表すことができる。同一サブフレームに多重される複数ユーザに対して同じCCE  indexが重複しないようにCCEが振り分けられる。PDCCHで送られる下りリンク制御情報（DCI)にPDSCH復調用の制御信号（例えば、リソース割当て情報）が含まれる。ユーザ端末は、PDSCHを受信したサブフレーム（＃０）から４サブフレーム後のサブフレーム（＃４）を用いて上りリンクACK/NACK信号を送信する。
【００１５】
図１に示されるように、上りリンク物理チャネルは、PUCCHに対して各サブフレーム（＃０〜＃４）においてシステム帯域の両端の無線リソースが割り当てられる。周波数ダイバーシティ利得を得るために、各PUCCHは、サブフレーム内周波数ホッピングが適用される。PUCCHは、PDSCHに対する上りリンクACK/NACK信号などを伝送する。
【００１６】
PUCCHに割り当てられるリソース単位をCCEインデックスによって表わすことができる。上りリンクACK/NACK信号は、PDCCHに割り当てられていた無線リソース（CCEインデックス）の最若番CCE  indexがＡＣＫ  indexとして用いられる。図１に示されるように、PDCCHに割り当てられていたCCEの最若番CCE  index＃３に対応して、同じインデックス番号であるＡＣＫ  index＃３に割り当てられた無線リソースが上りリンクACK/NACK信号に割り当てられる。ユーザ端末は、PＤCCHのサーチスペースをブラインド復号した際に、PDCCHに割り当てられていた無線リソース（CCEインデックス）の最若番CCE  indexが判る。このように、上りリンクACK/NACK信号の無線リソース（ＡＣＫ  index）と下りリンクの無線リソース（CCE  index）とが対応付けられる。
【００１７】
一方、LTE-A（Rel.10）においては、コンポーネントキャリア（最大２０MHｚまでのキャリア）を複数集めることによりシステム帯域の広帯域化を実現するキャリアアグリゲーションが適用される。また、上りリンク制御チャネンについては、１コンポーネントキャリアのみから送信することが合意されている。
【００１８】
図２に示すように、上りリンクのコンポーネントキャリアをキャリアアグリゲーションした場合の上りリンクACK/NACK信号は、複数のコンポーネントキャリアから１つのコンポーネントキャリアへのマッピングが必要になる。このことは、コンポーネントキャリアが追加／削除されてキャリアアグリゲーション数が変化すると、上りリンクACK/NACK信号に割り当てる無線リソース数が変化することを意味する。
【００１９】
本発明者は、キャリアアグリゲーション数の変化に対応して上りリンクACK/NACK信号に割り当てる無線リソース数が変化することに着目し、キャリアアグリゲーション数を切り替える過渡期においても上りリンクACK/NACK信号の送信を維持できる上り無線リソースの割当て法を検討して本発明をするに到った。
【００２０】
本発明の一つの側面は、基地局装置とユーザ端末との間の通信に割当てる周波数帯域をコンポーネントキャリア単位で追加または削除する第１の通信システムと、基地局装置とユーザ端末との間で固定した１つのコンポーネントキャリアを介して通信する第２の通信システムとが重複して配置された無線通信システムにおいて、前記第１の通信システムにより前記ユーザ端末に割当てられたコンポーネントキャリアの１つをアンカーキャリアに定め、当該アンカーキャリアでは、前記第２の通信システムと同様の上りリンクACK/NACK信号のリソース割り当てを補償することとした。
【００２１】
本発明によれば、ハイヤーレイヤシグナリングによりコンポーネントキャリアのアグリゲーション数が追加／削減される過渡期においても、アンカーキャリアの上りリンクACK/NACK信号の送信を維持できる。
【００２２】
図３を参照して、アンカーキャリアにおける上りリンクACK/NACK信号のリソース割り当てについて具体的に説明する。図３（ａ）にはコンポーネントキャリアCC0とコンポーネントキャリアCC1の２つのコンポーネントキャリアをアグリゲーションしてシステム帯域を構成した状態が示されている。
【００２３】
下りリンクのコンポーネントキャリアCC0においては、移動端末装置に対する下りリンク制御情報（DCI）に、CCE  index＝３を最若番CCE  indexとした無線リソースが割り当てられている。もう一つの下りリンクのコンポーネントキャリアCC1においては、移動端末装置に対する下りリンク制御情報（DCI）に、CCE  index＝６を最若番CCE  indexとした無線リソースが割り当てられている。
【００２４】
図３では、一方のコンポーネントキャリアCC0がアンカーキャリアに選定されている。アンカーキャリアとは、コンポーネントキャリアのアグリゲーション数が追加／削減される過渡期であっても、少なくとも上りリンクACK/NACK信号のリソース割り当てに関してＬＴＥと同様の動作が補償されるキャリアのことである。または、上りリンクACK/NACK信号のリソース割当て数が変化する場合であっても、ＬＴＥと同様の動作が補償された上りリンクACK/NACK信号のリソース割当てが存在するキャリアと言い換えることもできる。
【００２５】
図３（ａ）に示すように、下りリンクのアンカーキャリア（CC0）でPDCCH及びPDSCHを受信した場合、PDSCHの復調結果である上りリンクACK/NACK信号に、下りリンクの無線リソース（CCE  index＝３）と同一indexであるACK  index＝３の無線リソースを割り当てる。
【００２６】
一方、他のコンポーネントキャリア（CC1）では、PDSCH復調用の制御信号（DCI)にCCE  index＝６を最若番とした無線リソースが割り当てられているが、CC1のPDSCHに対する上りリンクACK/NACK信号に、図３（ｂ）にはクロス斜線で示すユーザ固有のACK/NACKリソースを割り当てる。ユーザ固有のACK/NACKリソースは、アンカーキャリア（CC0）の上りリンクACK/NACK信号に割り当てる無線リソースと干渉しないリソースであれば特に限定されない。ユーザ固有のACK/NACKリソースは、RRCシグナリングで通知することができる。たとえば、ユーザ固有のACK/NACKリソースにはアンカーキャリア（CC0）の上りリンクACK/NACK信号とは異なる帯域を割り当てることができる。または、ユーザ固有のACK/NACKリソースにはアンカーキャリア（CC0）の上りリンクACK/NACK信号とは異なる符号リソースを割り当て、CDM（Code  Division  Multiplex)しても良い。
【００２７】
これにより、アンカーキャリア（CC0）の上りリンクACK/NACK信号のリソース割り当てにはLTEと同様のリソース割当て動作が補償される。システム帯域を構成するコンポーネントキャリア数を切り替える場合、基地局からユーザ端末へRRCシグナリングでコンポーネントキャリアの切り替えが指示される。基地局はユーザ端末へRRCシグナリング(RRC  reconfiguration)を送信してからComplete  messageを受信するまでの間は、ユーザ端末UE#1がどのタイミングで切り替わったのか不明であるが、アンカーキャリア（CC0）の上りリンクACK/NACK信号だけは通信が維持される。
【００２８】
以下、本発明の実施の形態について、添付図面を参照して詳細に説明する。ここでは、ＬＴＥ−Ａシステムに対応する基地局及び移動局を用いる場合について説明する。
【００２９】
図４を参照しながら、本発明の実施例に係る移動局（ＵＥ）１０及び基地局（Ｎｏｄｅ  Ｂ）２０を有する移動通信システム１について説明する。図４は、本実施例に係る移動局１０及び基地局２０及びを有する移動通信システム１の構成を説明するための図である。なお、図４に示す移動通信システム１は、例えば、ＬＴＥシステム或いは、ＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００３０】
図４に示すように、移動通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００３１】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（ＵＥ：User  Equipment）でよい。
【００３２】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００３３】
ここで、ＬＴＥシステムにおける通信チャネルについて説明する。
下りリンクの通信チャネルは、各移動端末装置１０で共有されるPDSCHと、下りＬ１／Ｌ２制御チャネル（PDCCH、PCFICH、PHICH）とを有する。このPDSCHにより、ユーザデータ及び上位制御信号が伝送される。上位制御信号は、キャリアアグリゲーション数の追加／削減を移動端末装置１０に対して通知するRRCシグナリングを含む。
【００３４】
上りリンクの通信チャネルは、各移動端末装置１０で共有して使用されるPUSCHと、上りリンクの制御チャネルであるPUCCHとを有する。このPUSCHにより、ユーザデータが伝送される。また、PUCCHは、サブフレーム内周波数ホッピングが適用され、下りリンクの無線品質情報（ＣＱＩ:Channel  Quality  Indicator）、上りACK/NACK信号が伝送される。
【００３５】
図５を参照しながら、本実施の形態に係る基地局装置２０の全体構成について説明する。基地局装置２０は、送受信アンテナ２０１と、アンプ部２０２と、送受信部２０３と、ベースバンド信号処理部２０４と、呼処理部２０５と、伝送路インターフェース２０６とを備えている。
【００３６】
下りリンクにより基地局装置２０から移動端末装置１０に送信されるユーザデータは、上位局装置３０から伝送路インターフェース２０６を介してベースバンド信号処理部２０４に入力される。
【００３７】
ベースバンド信号処理部２０４は、PDCPレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、HARQ（Hybrid  Automatic  Repeat  reQuest）の送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００３８】
また、ベースバンド信号処理部２０４は、報知チャネルにより、同一セル５０に接続する移動端末装置１０に対して、各移動端末装置１０が基地局装置２０との無線通信するための制御情報を通知する。当該セル５０における通信のための報知情報には、例えば、上りリンク又は下りリンクにおけるシステム帯域幅や、ＰＲＡＣＨにおけるランダムアクセスプリアンブルの信号を生成するためのルート系列の識別情報（Root  Sequence  Index）等が含まれる。
【００３９】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００４０】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００４１】
ベースバンド信号処理部２０４は、上りリンクで受信したベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００４２】
呼処理部２０５は、通信チャネルの設定や解放等の呼処理や、基地局装置２０の状態管理や、無線リソースの管理を行う。
【００４３】
次に、図６を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部１０３と、ベースバンド信号処理部１０４と、アプリケーション部１０５とを備えている。
【００４４】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００４５】
一方、上りリンクのユーザデータは、アプリケーション部１０５からベースバンド信号処理部１０４に入力される。ベースバンド信号処理部１０４においては、再送制御（Ｈ−ＡＲＱ（Hybrid  ARQ））の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００４６】
図７は、本実施の形態に係る基地局装置２０が有するベースバンド信号処理部２０４及び一部の上位レイヤの機能ブロック図であり、主にベースバンド信号処理部２０４は送信処理部の機能ブロックを示している。図７には、最大Ｍ個（ＣＣ＃１〜ＣＣ＃Ｍ）のコンポーネントキャリア数に対応可能な基地局構成が例示されている。基地局装置２０の配下となる移動端末装置１０に対する送信データが上位局装置３０から基地局装置２０に対して転送される。
【００４７】
制御情報生成部３００は、ハイヤレイヤ・シグナリング（例えばRRCシグナリング）する上位制御信号をユーザ単位で生成する。上位制御信号は、アンカーキャリアのキャリア番号の指示、コンポーネントキャリアの追加／削減を要求するコマンドを含むことができる。割当てコンポーネントキャリアの中に必ずアンカーキャリアが存在するようにコンポーネントキャリアの割当てが制御される。また、アンカーキャリアでのＬＴＥと同様の動作を補償するために、アンカーキャリアではCIF(Carrier Indicator Field)は常に“OFF”に維持する。
【００４８】
データ生成部３０１は、上位局装置３０から転送された送信データをユーザ別にユーザデータとして出力する。
【００４９】
コンポーネントキャリア選択部３０２は、移動端末装置１０との無線通信に使用されるコンポーネントキャリアをユーザ毎に選択する。基地局装置２０から移動端末装置１０に対してRRCシグナリングによりコンポーネントキャリアの追加／削減を通知し、移動端末装置１０からComplete  messageを受信する。このComplete  messageの受信によって当該ユーザに対してコンポーネントキャリアの割当て（追加／削除）が確定し、確定したコンポーネントキャリアの割当てがコンポーネントキャリア選択部３０２にコンポーネントキャリアの割当て情報として設定される。コンポーネントキャリア選択部３０２にユーザ毎に設定されたコンポーネントキャリアの割当て情報にしたがって該当するコンポーネントキャリアのチャネル符号化部３０３へ上位制御信号及び送信データが割り振られる。コンポーネントキャリア選択部３０２が選択するコンポーネントキャリアにアンカーキャリアが含まれるようにコンポーネントキャリアが割り当てられる。
【００５０】
スケジューリング部３１０は、システム帯域全体の通信品質に応じて、配下の移動端末装置１０に対するコンポーンネトキャリアの割当てを制御する。スケジューリング部３１０が移動端末装置１０との通信に割当てるコンポーンネトキャリアの追加／削除を判断する。コンポーンネトキャリアの追加／削除に関する判断結果が制御情報生成部３００へ通知される。
【００５１】
スケジューリング部３１０は、各コンポーネントキャリアＣＣ＃０〜ＣＣ＃Ｍ−１におけるリソース割り当てを制御している。ＬＴＥ端末ユーザとＬＴＥ−Ａ端末ユーザとを区別してスケジューリングを行う。スケジューリング部３１０は、上位局装置３０から送信データ及び再送指示が入力されると共に、上りリンクの信号を測定した受信部からチャネル推定値やリソースブロックのＣＱＩが入力される。スケジューリング部３１０は、上位局装置３０から入力された再送指示、チャネル推定値及びＣＱＩを参照しながら、上下制御信号及び上下共有チャネル信号のスケジューリングを行う。移動通信における伝搬路は、周波数選択性フェージングにより周波数ごとに変動が異なる。そこで、移動端末装置１０へのユーザデータ送信時に、各移動端末装置１０に対してサブフレーム毎に通信品質の良好なリソースブロックを割り当てる（適応周波数スケジューリングと呼ばれる）。適応周波数スケジューリングでは、各リソースブロックに対して伝搬路品質の良好な移動端末装置１０を選択して割り当てる。そのため、スケジューリング部３１０は、各移動端末装置１０からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、３１２、変調部３０４、３０９、３１３に設定される。
【００５２】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される共有データチャネル（PDSCH）を、ユーザ毎にチャネル符号化する。変調部３０４は、チャネル符号化されたユーザデータをユーザ毎に変調する。マッピング部３０５は、変調されたユーザデータを無線リソースにマッピングする。
【００５３】
また、ベースバンド信号処理部２０４は、ユーザ固有の下り制御情報である下り共有データチャネル用制御情報を生成する下り制御情報生成部３０６と、ユーザ共通の下り制御情報である下り共通制御チャネル用制御情報を生成する下り共通チャネル用制御情報生成部３０７とを備えている。
【００５４】
下り制御情報生成部３０６は、ユーザ毎に決定したリソース割り当て情報、ＭＣＳ情報、HARQ用の情報、PUCCHの送信電力制御コマンド等から下りリンク制御信号（DCI）を生成する。このとき、ユーザに割当てられたコンポーネントキャリアのうちアンカーキャリアではＬＴＥと同様の動作を補償する下り共有データチャネル用制御情報を生成する。具体的には、CIFが付加されないDCI構成を有し、ＬＴＥで定められた規則に従って決定したサーチスペースにDCIが配置される。ユーザに割当てられたコンポーネントキャリアのうち、どのコンポーネントキャリアがアンカーキャリアであるかの情報はスケジューリング部３１０から通知される。
【００５５】
ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【００５６】
また、ベースバンド信号処理部２０４は、上り共有データチャネル（PUSCH)を制御するための制御情報である上り共有データチャネル用制御情報をユーザ毎に生成する上り制御情報生成部３１１と、生成した上り共有データチャネル用制御情報をユーザ毎にチャネル符号化するチャネル符号化部３１２と、チャネル符号化した上り共有データチャネル用制御情報をユーザ毎に変調する変調部３１３とを備える。
【００５７】
上記変調部３０９、３１３でユーザ毎に変調された制御情報は制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【００５８】
図８は基地局装置２０のベースバンド信号処理部２０４における受信処理部の機能ブロックであり、主に上りリンクACK/NACK信号を検出する処理部が示されている。受信信号からCPを除去するCP除去部２１１と、CP除去された受信信号を高速フーリエ変換して周波数領域の信号に変換するFFT部２１２と、周波数領域の受信信号をデマッピングするデマッピング部２１３と、各物理チャネルの推定値からチャネル補償するチャネル補償部２１４と、チャネル補償後のPUCCHから上りリンクACK/NACK信号を検出するACK/NACK検出部２１５とを備える。デマッピング部２１３は、アンカーキャリアとその他のコンポーネントキャリアの両方に対してデマッピング処理を加える。
【００５９】
図９は、移動端末装置１０が有するベースバンド信号処理部１０４の機能ブロック図であり、ＬＴＥ−ＡをサポートするＬＴＥ−Ａ端末の機能ブロックを示している。まず、移動端末装置１０の下りリンク構成について説明する。
【００６０】
無線基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（ＦＦＴ：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御信号を取り出す。なお、デマッピング部４０３によるデマッピング処理は、アプリケーション部１０５から入力される上位制御信号に基づいて行われる。デマッピング部４０３から出力された多重制御情報は、デインタリーブ部４０４でデインタリーブされる。
【００６１】
また、ベースバンド信号処理部１０４は、制御情報を復調する制御情報復調部４０５、下り共有データを復調するデータ復調部４０６及びチャネル推定部４０７を備えている。制御情報復調部４０５は、多重制御情報から下り共通制御チャネル用制御情報を復調する共通制御チャネル用制御情報復調部４０５ａと、多重制御情報から上り共有データチャネル用制御情報を復調する上り共有データチャネル用制御情報復調部４０５ｂと、多重制御情報から下り共有データチャネル用制御情報を復調する下り共有データチャネル用制御情報復調部４０５ｃとを備えている。データ復調部４０６は、ユーザデータ及び上位制御信号を復調する下り共有データ復調部４０６ａと、下り共通チャネルデータを復調する下り共通チャネルデータ復調部４０６ｂとを備えている。
【００６２】
共通制御チャネル用制御情報復調部４０５ａは、多重制御情報（PDCCH）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、後述するマッピング部４１５に入力され、無線基地局装置２０への送信データの一部としてマッピングされる。
【００６３】
上り共有データチャネル用制御情報復調部４０５ｂは、多重制御情報（PDCCH）のユーザ個別サーチスペースのブラインドデコーディング処理、復調処理、チャネル復号処理などによりユーザ固有の上り制御情報である上り共有データチャネル用制御情報を取り出す。上り共有データチャネル用制御情報は、上り共有データチャネル（PUSCH）の制御に使用され、下り共通チャネルデータ復調部４０６ｂへ入力される。
【００６４】
下り共有データチャネル用制御情報復調部４０５ｃは、多重制御情報（PDCCH）のユーザ個別サーチスペースのブラインドデコーディング処理、復調処理、チャネル復号処理などによりユーザ固有の下り制御信号である下り共有データチャネル用制御情報を取り出す。下り共有データチャネル用制御情報は、下り共有データチャネル（PDSCH）の制御に使用され、下り共有データ復調部４０６へ入力される。
【００６５】
また、下り共有データチャネル用制御情報復調部４０５ｃは、下り共有データ復調部４０６ａで復調された上位制御信号に含まれる、PDCCH及びPDSCHに関する情報に基づいて、ユーザ固有サーチスペースのブラインドデコーディング処理を行う。
【００６６】
下り共有データ復調部４０６ａは、下り共有データチャネル用制御情報復調部４０５ｃから入力された下り共有データチャネル用制御情報に基づいて、ユーザデータや上位制御情報を取得する。上位制御情報（モード情報を含む）は、チャネル推定部４０７に出力される。下り共通チャネルデータ復調部４０６ｂｃは、上り共有データチャネル用制御情報復調部４０５ｂから入力された上り共有データチャネル用制御情報に基づいて、下り共通チャネルデータを復調する。
【００６７】
チャネル推定部４０７は、コモン参照信号を用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用参照信号を用いて下りリンク信号を復調する。
【００６８】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。ＤＦＴ部４１４は、変調された送信データを離散フーリエ変換する。マッピング部４１５は、ＤＦＴ後のデータシンボルの各周波数成分を、基地局装置に指示されたサブキャリア位置へマッピングする。すなわち、データシンボルの各周波数成分を、システム帯域に相当する帯域幅を持つＩＦＦＴ部４１６のサブキャリア位置に入力し、他の周波数成分には０を設定する。ＩＦＦＴ部４１６は、システム帯域に相当する入力データを逆高速フーリエ変換して時系列データに変換し、ＣＰ挿入部４１７は時系列データに対してデータ区切りでCPを挿入する。
【００６９】
次に、以上のように構成された本実施の形態の動作について説明する。
複数のコンポーネントキャリアをキャリアアグリゲーションする場合、下りリンクのキャリアと上りリンクのキャリアとをリンクさせることが、RAN１  ＃５９（３GPP  TSG  RAN  WG1  Meeting）で合意されている。最初に、移動端末装置１０との通信のために、セル固有の上りリンク及び下りリンクのペアが同一のコンポーネントキャリア（ＤＬ/ＵＬ＃CC0）に割り当てられ、このコンポーネントキャリアCC0上でユーザ固有の上りリンク及び下りリンクのペアが確立される。その後、ユーザ固有の下りリンクに対して他のコンポーネントキャリア＃CC1から＃CC3が割り当てられると、ユーザ固有の下りリンクにコンポーネントキャリア＃CC1から＃CC3が追加される。そして、コンポーネントキャリアの追加／削除に制限がなければ、旧コンポーネントキャリア＃CC0に対するセル固有及びユーザ固有のリンクが解消される。
【００７０】
上記のように、下りリンクと上りリンクとで個別にコンポーネントキャリアを割当て可能なシステム構成において、基地局装置２０は、移動端末装置１０に割当てた複数のコンポーネントキャリア（例えばＣＣ＃０〜ＣＣ＃３の４つ）から１つをアンカーキャリアに選定する。本発明ではアンカーキャリアの選定方法は限定されない。例えば、コンポーネントキャリア番号の最若番をアンカーキャリアに選定しても良いし、アンカーキャリアとなるコンポーネントキャリア番号を周期的にシフトさせても良い。または通信品質が所要値を超えるコンポーネントキャリアからアンカーキャリアを選定しても良い。
【００７１】
図１０には、移動端末装置１０に対するコンポーネントキャリアの割り当てに変更があった場合を例示している。移動端末装置１０に対するコンポーネントキャリアのキャリアアグリゲーション数が４から２に変化している。
【００７２】
移動端末装置１０（UE#1）には４つのコンポーネントキャリアＣＣ＃０からＣＣ＃３が割り当てられている。移動端末装置１０（UE#1）との通信に割当てるコンポーネントキャリアを２つ削除する場合、基地局装置２０が移動端末装置１０（UE#1）に対して削除するコンポーネントキャリア番号を指定したRRCシグナリング(RRC  reconfiguration：CC  addition)を送信する。移動端末装置１０（UE#1）はRRCシグナリングされたコマンド（CC  addition）を受けて２つのコンポーネントキャリアCC#1,CC#３を削除した通信に対応した準備をする。２つのコンポーネントキャリアCC#1,CC#３の削除に対する対応が完了すると、Complete  messageを基地局装置２０へ返信する。基地局装置２０は移動端末装置１０（UE#1）に対してRRCシグナリング(RRC  reconfiguration)を送信してからComplete  messageを受信するまでの区間は、移動端末装置１０（UE#1）が２つのコンポーネントキャリアCC#０,CC#2を介した通信に対応できるのか否か不明である。
【００７３】
本発明は、ユーザに割当てたコンポーネントキャリアから１つをアンカーキャリアとして選定し、アンカーキャリアはＬＴＥの動作を補償すると定義し、移動端末装置１０（UE#1）に割り当てられているコンポーネントキャリアの１つをアンカーキャリアであると基地局装置２０と移動端末装置１０（UE#1）との間で相互に認識する。基地局装置２０と移動端末装置１０（UE#1）との間の通信に使用するコンポーネントキャリア数を追加／削除する場合、移動端末装置１０（UE#1）は、少なくとも不明確時間帯の間はアンカーキャリアを介して上りリンクACK/NACK信号を送信する。すなわち、コンポーネントキャリア数が不確定な不明確時間帯において、ＬＴＥの動作が補償されているアンカーキャリアを介してＬＴＥによる上りリンクACK/NACK信号の送信を維持する。
【００７４】
基地局装置２０では、移動端末装置１０に対してRRCシグナリングによりアンカーキャリアとなるコンポーネントキャリア番号を通知する。報知チャネルを用いてアンカーキャリアとなるコンポーネントキャリア番号を通知しても良い。または、通信開始時に最初のキャリアを自動的にアンカーキャリアと決めても良い。
【００７５】
基地局装置２０では、また移動端末装置１０に対する下り制御情報生成部３０６が移動端末装置１０に割当てられたコンポーネントキャリアＣＣ＃０〜ＣＣ＃３毎に下りリンク制御情報を生成する。このとき、アンカーキャリアの下り制御チャネルに多重される下りリンク制御情報（DCI）は、ＬＴＥと同様の動作を補償するため、ＬＴＥの仕様を満足する構成となるように制御される。具体的には、DCI構成はＬＴＥにしたがったフォーマットが採用され、CIFが付加されないDCIが配置されるサーチスペースもＬＴＥと同様にして決められる。
【００７６】
DCIがPDCCHの所定領域にマッピングされるまでの処理工程について説明する。
下り制御情報生成部３０６が下りリンク制御情報（DCI)を生成する。LTEで定義されているDCI構成は、端末毎のリソース割当情報(Resource  block  assignment)、割り当てたリソースブロックのＭＣＳ情報(Modulation  and  Coding  Scheme)、もしくは，トラスポートブロック情報、端末側で生じた受信データ誤りを高効率，低遅延で訂正するために用いる，ハイブリッドARQを用いる際に必要な情報，具体的には初回送信と再送パケットを合成する際に対応するメモリ番号、すなわちHARQプロセス番号（HARQ  process  number）、新規データか再送データかを区別する識別子（New  data  indicator）、符号化系列のどの部分を送っているかを示す情報（Redundancy  version）、PUCCHの送信電力制御コマンド（TPC  for  PUCCH)を備えて構成されている。
【００７７】
チャネル符号化部３０８は、同一サブフレームに多重されるユーザ端末の下りリンク制御情報(DCI)に対し、ユーザID（UE-ID)でマスクしたCRCを付与した後、チャネル符号化する。また、各ユーザ端末の受信品質に応じて、７２、１４４、２８８、５７６ビットにレートマッチングする（７２ビット又は５７６ビットの場合、符号化率2/3,1/12に相当）。ここで、７２ビットを基本単位(CCE:Control  Channel  Element)と定義し、定義した４種類のCCE数＝｛１，２，４，８｝の中から受信品質に応じて最適なCCE数が決定される。CCE数はスケジューリング部３１０から通知される。さらに、変調部３０９においてQPSK変調後、制御チャネル多重部３１４において複数ユーザ端末の制御情報を多重する（CCE  multiplexing）。周波数ダイバーシチ効果を得るために、インタリーブ部３１５が、REG（Resource  Element  Groupの略で4REから構成される）単位でインタリーブする(CCE  interleaving)。その後、サブフレームの先頭にマッピングする。
【００７８】
移動端末装置１０では、デインタリーブ部４０４がサブフレーム先頭の１〜３OFDMシンボルにマッピングされたPDCCHをデインターリーブする。移動端末装置１０では、レートマッチングパラメータ（CCE数）、及びCCEの開始位置が不明であるため、CCE単位でブラインドデコーディングし、ユーザIDでマスクされたＣＲＣがＯＫとなるCCEを探索する。
【００７９】
共通制御チャネル用制御情報復調部４０５ａは、受信コンポーネントキャリアのPDCCHの共通サーチスペースをブラインドデコーディングし、ユーザ共通の制御情報である共通制御チャネル用制御情報を取り出す。共通制御チャネル用制御情報は、下りリンクのチャネル品質情報（ＣＱＩ）を含んでおり、後述するマッピング部１１５に入力され、基地局装置２０への送信データの一部としてマッピングされる。また、ユーザ個別の共有データチャネル用の下り制御情報が取り出される。下り制御情報は下り共有データ復調部４０６ａへ入力される。
【００８０】
下り共有データチャネル用制御情報復調部４０５ｃは、受信コンポーネントキャリアのPDCCHのユーザ個別サーチスペースをブラインドデコーディングし、ユーザ個別の下り制御情報を復調する。下り制御情報は下り共有データ復調部４０６ａへ入力される。このとき、アンカーキャリア（CC0)において、自分宛のDCIが割り当てられていたCCEの最若番CCE  indexをマッピング部４１５へ通知する。
【００８１】
下り共有データ復調部４０６ａは、共通制御チャネル用制御情報復調部４０５ａ及び下り共有データチャネル用制御情報復調部４０５ｃから入力された下り共有データチャネル用制御情報に基づいて、受信コンポーネントキャリアのPDSCHを復調する。このとき、PDSCHの復調結果をACK/NACK信号生成部４１８へ通知する。
【００８２】
移動端末装置１０のACK/NACK信号生成部４１８は、下り共有データ復調部４０６ａからアンカーキャリア及び他のコンポーネントキャリアのPDSCHの復調結果が与えられる。PDSCHの復調結果に対応したACK/NACK信号を生成する。コンポーネントキャリア毎に生成されたACK/NACK信号は変調部４１９で変調されたからマッピング部４１５へ入力される。
【００８３】
図１１を参照してマッピング部４１５による上りリンクACK/NACK信号のマッピングについて説明する。同図では、サブフレーム＃０、＃１までは１つのコンポーネントキャリア（アンカーキャリアのみ）が割り当てられ、サブフレーム＃２以降は複数のコンポーネントキャリアが割り当てられている。
【００８４】
マッピング部４１５は、１つのコンポーネントキャリアのみが割当てられている場合（サブフレーム＃０、＃１）は、LTEと同様に上りリンクACK/NACK信号の無線リソースを割り当てる。すなわち、図１に示すように、下りリンク制御情報（DCI）に割り当てられていたCCEの最若番CCE  indexと同一番号のACK  indexを上りリンクACK/NACK信号の無線リソースに割り当てる。
【００８５】
一方、複数のコンポーネントキャリアが割り当てられた場合、アンカーキャリアではLTEと同様に上りリンクACK/NACK信号の無線リソースが割り当てられるが、アンカーキャリア以外のPDSCHに対する上りリンクACK/NACK信号には、ユーザ固有のACK/NACKリソースが割り当てられる。ユーザ固有のACK/NACKリソースは基地局装置２０からRRCシグナリングされても良い。
【００８６】
このように、上りリンクACK/NACK信号が無線リソースにマッピングされ、上りリンクACK/NACK信号を含む上りリンク制御信号がIFFT部４１６で逆高速フーリエ変換されて時間領域の信号に変換される。そして、CP挿入部４１７でCPが挿入されてから送信される。
【００８７】
基地局装置２０では、移動端末装置１０から送信されたPUCCHまたはPUSCHを受信する。CP除去部２１１が受信信号からCPを除去し、FTT部２１２で周波数領域の信号に変換された後、デマッピング２１３に入力される。デマッピング２１３は、アンカーキャリアのPUCCHについてはLTEと同様にして分離する。すなわち、PDCCHに割り当てられたCCEの最若番CCE番号と同一のACK  indexから上りリンクACK/NACK信号を分離・復調する。また、デマッピング２１３は、アンカーキャリア以外のコンポーネントキャリアのPUCCHについては、ユーザ固有のACK/NACKリソースから分離・復調する。このように、デマッピング２１３は、アンカーキャリアとそれ以外のコンポーネントキャリアとで別々に上りリンクACK/NACK信号を分離する。別々に分離された上りリンクACK/NACK信号はチャネル補償後にACK/NACK検出部２１５へ与えられる。
【００８８】
このように、本実施の形態によれば、割当てコンポーネントキャリアから１つをアンカーキャリアとして選定し、アンカーキャリアはＬＴＥの動作を補償し、コンポーネントキャリア数を追加／削除する場合であっても、移動端末装置１０（UE#1）はアンカーキャリアを介してLTEと同様の動作で上りリンクACK/NACK信号を送信することとしたので、コンポーネントキャリア数が不確定な不明確時間帯においても上りリンクACK/NACK信号の送信を維持することができる。
【符号の説明】
【００８９】
１  移動通信システム
１０  移動端末装置
２０  基地局装置
３０  上位局装置
４０  コアネットワーク
１０１  送受信アンテナ
１０２  アンプ部
１０３  送受信部
１０４  ベースバンド信号処理部
１０５  アプリケーション部
２０１  送受信アンテナ
２０２  アンプ部
２０３  送受信部
２０４  ベースバンド信号処理部
２０５  呼処理部
２０６  伝送路インターフェース
３００  制御情報生成部
３０１  データ生成部
３０２  コンポーネントキャリア選択部
３０３、３０８、３１２  チャネル符号化部
３０４、３０９、３１３  変調部
３０５  マッピング部
３０６  下り制御情報生成部
３０７  下り共通チャネル用制御情報生成部
３１０  スケジューリング部
３１１  上り制御情報生成部
【図１】
2011223335.tif 000003
【図２】
2011223335.tif 000004
【図３】
2011223335.tif 000005
【図４】
2011223335.tif 000006
【図５】
2011223335.tif 000007
【図６】
2011223335.tif 000008
【図７】
2011223335.tif 000009
【図８】
2011223335.tif 000010
【図９】
2011223335.tif 000011
【図１０】
2011223335.tif 000012
【図１１】
2011223335.tif 000013